(57)【要約】  【課題】落雷などによるノイズ電流で発生する過電流と回路の故障などで発生する過電流を区別し、回路の故障などにより過電流が発生した場合のみ、電子機器の運転を停止させる。  【解決手段】コンバータの入力電流である第１入力電流を検出する第１入力電流検出部１１と、検出された第１入力電流が予め定めた過電流閾値を超えた時に過電流検出信号を出力する過電流検出部１２と、制御部１０に降圧型電源回路７を介して電源を供給し、リアクタを有しない待機時用電源部６とを備えた室外機２０において、待機時用電源部６の入力電流である第２入力電流を検出する第２入力電流検出部１３と、過電流検出信号と第１入力電流と第２入力電流がそれぞれ入力され、第１入力電流と第２入力電流に含まれるノイズ電流が同時に流れた事を検出した時、運転停止信号の出力を禁止する誤検出防止部４０を備える。【選択図】図１
2019007709.tif 000002
【特許請求の範囲】
【請求項１】
交流電源に２つの入力端子を介して接続され、リアクタを備えたコンバータと、
前記コンバータから供給される電源で動作する負荷と、
前記コンバータの入力電流である第１入力電流を検出して電圧信号からなる第１入力電流信号を出力する第１入力電流検出部と、
検出された前記第１入力電流信号が予め定めた過電流閾値を超えた時に過電流検出信号を出力する過電流検出部と、
前記負荷や前記コンバータを制御し、前記過電流検出信号が出力された時に前記負荷または前記コンバータの運転を停止させる制御部と、
前記コンバータの入力側と前記交流電源が入力される入力側が並列に接続され、前記交流電源を整流して前記制御部に電源を供給し、リアクタを有しない電源部と、
を備えた電子機器であって、
前記電子機器は、
前記電源部の入力電流である第２入力電流を検出して電圧信号からなる第２入力電流信号を出力する第２入力電流検出部と、
前記過電流検出信号と前記第１入力電流信号と前記第２入力電流信号がそれぞれ入力され、前記第１入力電流と前記第２入力電流とにそれぞれ含まれるノイズ電流が同時に検出された時、前記過電流検出信号の前記制御部への出力を禁止する誤検出防止手段を備えたことを特徴とする電子機器。
【発明の詳細な説明】
【技術分野】
【０００１】
本発明は、電子機器に係わり、より詳細には、入力電流の過電流の誤検出を防止する回路に関する。
【背景技術】
【０００２】
従来、空気調和機や冷凍装置などの電子機器は入力電流を常に監視し、予め定めた閾値を入力電流が超えた時に過電流と判断して機器の運転を中止する。例えば空気調和機の場合であれば圧縮機の回転を停止させるため、この圧縮機を駆動しているインバータや、このインバータに電源を供給しているコンバータの運転を停止させ、インバータや圧縮機、コンバータなどの損傷を防止するようになっている（例えば、特許文献１参照。）。
【０００３】
一方、電子機器では制御回路に供給する制御用電源を生成する降圧型電源回路を備えている。この降圧型電源回路は２種類の入力電圧を切り替えて用いるようになっている。例えば空気調和機の場合、運転時に用いるコンバータの出力電圧と、別に備えた待機時用電源の出力電圧を切り替えて降圧型電源回路へ出力している。待機時用電源の出力電圧はコンバータの出力電圧よりも低い電圧に設定されており、電力消費が少ない待機時にはこの低い入力電圧を用いて制御用の電圧を生成し、運転時よりも待機時における降圧型電源回路自身の電力損失を低減させている。
【０００４】
このような待機時用電源のグランドと前述したコンバータとのグランドは共通のグランドに接続されており、かつ、それぞれの電源は内部に平滑コンデンサを備えており、各平滑コンデンサの負極も共通のグランドに接続されている。
一方、コンバータ内には入力電流を検出するシャント抵抗が備えられている。シャント抵抗で検出した入力電流は、このコンバータの制御や部品の故障などにより発生する過電流の検出に用いられる。
【０００５】
ところで、空気調和機を運転中に落雷が発生し、この落雷による雷サージの電流が空気調和機に流れ込んだ場合、このサージ電流（以下ノイズ電流と呼称）が空気調和機の動作に悪影響を与えることがある。
なお、雷サージの電流とは、落雷地点のインピーダンスにより落雷地点の電位が上昇し、近傍の商用電源の配線網の不均一なインピーダンスに従って落雷地点から各方向に、雷の電気エネルギーが減衰されるまで、瞬間的あるいは断続的に流れる電流である。一般的にこのノイズ電流は高い高周波成分を含んでいる。
【０００６】
図４の空気調和機の室外機２００のブロック図を用いてこのノイズ電流による悪影響の１つを説明する。図１の室外機２００は、図示しない交流電源が入力される入力端子１ａと入力端子１ｂとにコンバータ３、インバータ４、圧縮機のモータ５が順次接続されている。また、入力端子１ａとコンバータ３の間にはリレー２が直列に接続されている。また入力端子１ａと入力端子１ｂと並列に待機時用電源部６の入力端子が接続されている。
【０００７】
コンバータ３の内部には整流器３２と、この整流器３２の入力とリレー２の間に直列に接続されたリアクタ３１と、この整流器３２の負極出力側に一端が接続され、他端がグランドに接続された電流検出用のシャント抵抗３３が備えられている。一方、待機時用電源部６の内部には整流器６１と、この整流器６１の正極出力側に一端が接続された突入電流防止抵抗６２と、この突入電流防止抵抗６２の他端に一端が接続され、他端がグランドに接続された平滑コンデンサ６３が備えられている。なお、この突入電流防止抵抗６２の他端は待機時用電源部６の出力端子６ｃに接続され、降圧型電源回路７を介して制御部１０へ電源を供給するようになっている。
【０００８】
ここで落雷によるノイズ電流Ｉｎが入力端子１ａに到達した場合、ノイズ電流Ｉｎはリレー２を介してコンバータ３へ流れようとする。しかし高い周波数成分を含むノイズ電流Ｉｎは非常にインダクタンスが大きいリアクタ３１をほとんど通過できないため、入力端子１ａに到達したノイズ電流Ｉｎはリアクタを備えていない待機時用電源部６に向かって流れる。
【０００９】
ノイズ電流Ｉｎは待機時用電源部６の整流器６１から突入電流防止抵抗６２に流れる。突入電流防止抵抗６２の先の回路は降圧型電源回路７、もくは平滑コンデンサ６３であるが、平滑コンデンサ６３よりも降圧型電源回路７のインピーダンスが大きい。このためノイズ電流Ｉｎは突入電流防止抵抗６２から平滑コンデンサ６３を介してグランドに流れる。
【００１０】
グランドに流れたノイズ電流Ｉｎは、コンバータ３のグランドから逆流してシャント抵抗３３を流れ、整流器３２から入力端子１ｂに向かって流れる。前述したように、室外機２００はシャント抵抗３３によって過電流を検出しているため、モータ５を駆動するための電流か否かに関わらず、ここに流れる電流が過電流閾値を超えた場合、室外機２００は過電流が発生したと判断して室外機２００の運転を中止する。つまり、室外機２００はモータ５を駆動するために流れる電流にノイズ電流Ｉｎが重畳された電流が過電流閾値を超えると、室外機２００が故障でない場合であっても運転を中止する。
【００１１】
例えばスイッチング素子の短絡故障の場合、数マイクロセカンド以内に全てのスイッチング素子をオフに制御しないと故障素子以外の部品も破壊されるおそれがあり、過電流を検出したら直ちに各部の運転を停止する必要がある。このため、ノイズ電流の発生が収まる一定時間を待ってから過電流の判定を行なうなどの対応をすることができないという問題があった。
【００１２】
なお、図４ではノイズ電流Ｉｎが入力端子１ａ側に流れる説明を行なったが、逆に入力端子１ｂ側のラインに雷サージが印加された場合、結果的にこの雷サージによるノイズ電流は室外機２００の内部を流れることがない。入力端子１ｂ側のラインに雷サージ電圧が印加された場合、室外機２００のどの回路を経由してもノイズ電流は最終的にリアクタ３１を通過する必要がある。しかしながら、前述したように、このノイズ電流はほとんどリアクタ３１を通過することができない。また、入力端子１ｂ側のラインは商用電源の接地ライン側（ニュートラル側）に接続されているため、ほとんどの雷サージは接地ライン側に流れる。
このため、入力端子１ｂ側のラインに雷サージ電圧が印加された場合、ノイズ電流による過電流が発生することがない。
【００１３】
このように従来の電子機器では機器自身の故障でないのにも関わらず、落雷によるノイズ電流などにより電子機器が運転を停止する場合があった。また、例えば電子機器が空気調和機の場合であれば、圧縮機を停止してから運転を再開するために冷媒回路内の圧力が均一になるまで３分間程度の待ち時間が必要となるなどの問題が有った。
【先行技術文献】
【特許文献】
【００１４】
【特許文献１】特開２００６−２８００１６号公報（第６−７頁、図２）
【発明の概要】
【発明が解決しようとする課題】
【００１５】
本発明は以上述べた問題点を解決し、落雷などによるノイズ電流で発生する過電流と回路の故障などで発生する過電流を区別し、回路の故障などにより過電流が発生した場合のみ、電子機器の運転を停止させることを目的とする。
【課題を解決するための手段】
【００１６】
本発明は上述の課題を解決するため本発明は、交流電源に２つの入力端子を介して接続され、リアクタを備えたコンバータと、
前記コンバータから供給される電源で動作する負荷と、
前記コンバータの入力電流である第１入力電流を検出して電圧信号からなる第１入力電流信号を出力する第１入力電流検出部と、
検出された前記第１入力電流信号が予め定めた過電流閾値を超えた時に過電流検出信号を出力する過電流検出部と、
前記負荷や前記コンバータを制御し、前記過電流検出信号が出力された時に前記負荷または前記コンバータの運転を停止させる制御部と、
前記コンバータの入力側と前記交流電源が入力される入力側が並列に接続され、前記交流電源を整流して前記制御部に電源を供給し、リアクタを有しない電源部と、
を備えた電子機器であって、
２つの前記入力端子に入力側が並列に接続され、前記交流電源を整流して前記制御部に電源を供給し、リアクタを有しない電源部とを備えた電子機器であって、
前記電子機器は、
前記電源部の入力電流である第２入力電流を検出して電圧信号からなる第２入力電流信号を出力する第２入力電流検出部と、
前記過電流検出信号と前記第１入力電流信号と前記第２入力電流信号がそれぞれ入力され、前記第１入力電流と前記第２入力電流とにそれぞれ含まれるノイズ電流が同時に検出された時、前記過電流検出信号の前記制御部への出力を禁止する誤検出防止手段を備えたことを特徴とする。
【発明の効果】
【００１７】
以上の手段を用いることにより、本発明による電子機器によれば、落雷などによるノイズ電流で発生する過電流と回路の故障などで発生する過電流を区別し、回路の故障などにより過電流が発生した場合のみ、電子機器の運転を停止させることができる。このため、ノイズ電流の発生による運転停止を防止したり、運転再開のための待ち時間を削減することができる。
【図面の簡単な説明】
【００１８】
【図１】本発明による室外機の実施例を示すブロック図である。
【図２】本発明による誤検出防止部の内部を示す回路図である。
【図３】本発明による誤検出防止部の動作を説明する説明図である。
【図４】従来の室外機の実施例を示すブロック図である。
【発明を実施するための形態】
【００１９】
以下、本発明の実施の形態を、添付図面に基づいた実施例として詳細に説明する。なお、本発明と直接関係のない冷媒回路やファンモータなどの図示と説明を省略する。また、背景技術で説明した図４と同じブロックについては同じ番号と名称を付与している。
【実施例１】
【００２０】
図１は電子機器の一例である空気調和機の室外機２０である。この室外機２０は、図示しない交流電源が接続される入力端子１ａと入力端子１ｂと、入力端子３ａ，３ｂに入力された交流電力を直流電力に変換して出力端子３ｃ，３ｄに出力するコンバータ３と、入力端子１ａとコンバータ３の入力端子３ａの間に直列に接続されたリレー２と、出力端子３ｃ，３ｄに出力される直流電力を交流電力に変換するインバータ４と、インバータ４で駆動される圧縮機のモータ（負荷）５と、リレー２とコンバータ３とインバータ４とモータ５を制御する制御部１０と、コンバータ３の出力端子３ｃ，３ｄから電源が入力されて制御部１０へ制御用の電源を供給する降圧型電源回路７と、コンバータ３が停止中に交流電源を直流電源に変換して降圧型電源回路７へ電源を供給する待機時用電源部（電源部）６とを備えている。
【００２１】
また、室外機２０は、コンバータ３の入力電流を検出して電圧信号からなる第１入力電流信号を出力する第１入力電流検出部１１と、待機時用電源部６の入力電流を検出して電圧信号からなる第２入力電流信号を出力する第２入力電流検出部１３と、第１入力電流信号が予め定めた過電流閾値以上になった時に過電流検出信号を出力する過電流検出部１２と、過電流検出信号と第１入力電流信号と第２入力電流信号が入力され、過電流検出信号の発生原因がノイズ電流発生でない時のみ運転停止信号を制御部１０へ出力する誤検出防止部４０と、待機時用電源部６の正極電圧を出力する出力端子６ｃにアノード端子が、カソード端子が降圧型電源回路７の正極入力に接続されたダイオード９と、出力端子３ｃにアノード端子が、カソード端子が降圧型電源回路７の正極入力にそれぞれ接続されたダイオード８を備えている。なお、降圧型電源回路７の負極入力（正極出力と共通）はグランドに接続されている。また、誤検出防止部（誤検出防止手段）４０については後で詳細に説明する。
【００２２】
コンバータ３は、入力端子３ａ，３ｂと、出力端子３ｃ，３ｄと、リアクタ３１と、整流器３２と、ＩＧＢＴ３４と、シャント抵抗３３と、ダイオード３５と、平滑コンデンサ３６を備えている。整流器３２の一方の入力と入力端子３ａの間にはリアクタ３１が接続され、また、整流器３２の他方の入力は入力端子３ｂに接続されている。なお、入力端子３ｂは交流電源が接続される入力端子１ｂに接続されている。
【００２３】
また、ダイオード３５は整流器３２の正極出力にアノード端子が、出力端子３ｃにカソード端子がそれぞれ接続されている。シャント抵抗３３は整流器３２の負極出力と出力端子３ｄとの間に直列に接続され、平滑コンデンサ３６は出力端子３ｃと出力端子３ｄの間に接続され、ＩＧＢＴ３４はダイオード３５のアノード端子にコレクタ端子が、出力端子３ｄにエミッタ端子が、ゲート端子が制御部１０にそれぞれ接続されている。なお、出力端子３ｄはグランドに接続されている。また、シャント抵抗３３の両端電圧は第１入力電流検出部１１へ出力されている。
【００２４】
待機時用電源部６は、入力端子６ａ，６ｂと、出力端子６ｃと、整流器６１と、突入電流防止抵抗６２と、平滑コンデンサ６３を備えている。整流器６１の一方の入力は入力端子６ａを介して室外機２０の入力端子１ａに、また、整流器６１の他方の入力は入力端子６ｂを介して室外機２０の入力端子１ｂにそれぞれ接続されている。また、整流器６１の正極出力と出力端子６ｃの間に突入電流防止抵抗６２が直列に接続され、平滑コンデンサ６３が出力端子６ｃとグランドとの間に接続されている。また、出力端子６ｃからは整流された正極の電圧が出力される。
なお、整流器６１の負極出力はグランドに接続されている。また、待機時用電源部６のグランドはコンバータ３のグランドと共通である。また、待機時用電源部６は比較的小さな待機時用の電力を供給するだけであるため、力率を改善する必要がないためリアクタを備えていない。
【００２５】
次に室外機２０の動作について説明する。室外機２０はリレー２が閉となりコンバータ３が動作して圧縮機のモータ５が回転して空調動作を行なう動作状態と、リレー２が開となりコンバータ３が停止してモータ５が停止している待機状態がある。図示しない室内機からの運転指示により制御部１０が動作状態と待機状態を切り替える。室外機２０が動作状態の場合は、制御部１０が出力端子３ｃ，３ｄの間の電圧を所定電圧とするようにスイッチングパルス信号をＩＧＢＴ３４のゲート端子へ出力することでリアクタ３１に流れる電流が断続される。この結果、平滑コンデンサ３６の両端に所定の直流電圧が印加され、この直流電圧が出力端子３ｃ，３ｄから出力される。
【００２６】
この直流電圧がインバータ４に印加され、制御部１０はモータ５が所定の回転数となるようにスイッチングパルス信号をインバータ４に出力してモータ５の回転を制御する。また、降圧型電源回路７は入力されたコンバータ３の出力電圧を＋１５ボルトや＋１２ボルト、＋５ボルトなどの制御用電圧に変換し、この変換された制御用電圧を制御部１０へ出力する。制御部１０が室外機２０を動作状態から待機状態にするとリレー２が開となるためコンバータ３が停止し、このため降圧型電源回路７へ出力される電圧が徐々に低下する。
【００２７】
一方、待機時用電源部６には常に交流電源が供給されているため、室外機２０が動作状態か待機状態かに関わらず、待機時用電源部６は常に降圧型電源回路７へ直流電圧を印加している。ただし、コンバータ３の出力電圧よりも待機時用電源部６の出力電圧が低いように設計されているため、コンバータ３が動作中の場合は待機時用電源部６から降圧型電源回路７へ電流が流れない。そして、室外機２０が待機状態になってコンバータ３からの電圧が低下して降圧型電源回路７へ供給されなくなった時、代わりに待機時用電源部６から出力される直流電圧が降圧型電源回路７へ供給される。
【００２８】
なお、背景技術で説明したように、図１に示すノイズ電流Ｉｎは待機時用電源部６の整流器６１から突入電流防止抵抗６２に流れ、さらに平滑コンデンサ６３を介してグランドに流れる。そして、グランドに流れたノイズ電流Ｉｎは、コンバータ３のグランドから逆流してシャント抵抗３３を流れ、整流器３２から入力端子１ｂに向かって流れる。つまり、ノイズ電流Ｉｎは突入電流防止抵抗６２とシャント抵抗３３に同時に流れるため、誤検出防止部４０はノイズ電流Ｉｎが流れる期間が重なる場合を、雷サージによるノイズ電流が流れる期間であるとしている。
【００２９】
次に図２を用いて誤検出防止部４０の内部回路と動作を説明する。
誤検出防止部４０は、コンデンサ４１と、抵抗４２と、増幅器４３と、コンデンサ４７と、コンデンサ４４と、抵抗４５と、増幅器４６と、コンデンサ４８と、ＮＡＮＤ回路４９と、ＡＮＤ回路５０を備えている。
【００３０】
第１入力電流検出部１１の出力がコンデンサ４１の一端に、コンデンサ４１の他端が増幅器４３の入力に、増幅器４３の出力がＮＡＮＤ回路４９の一方の入力に、それぞれ接続されている。同様に第２入力電流検出部１３の出力がコンデンサ４４の一端に、コンデンサ４４の他端が増幅器４６の入力に、増幅器４６の出力がＮＡＮＤ回路４９の他方の入力に、それぞれ接続されている。そして、ＮＡＮＤ回路４９の出力はＡＮＤ回路５０の一方の入力に、過電流検出部１２の出力がＡＮＤ回路５０の他方の入力にそれぞれ接続されている。また、ＡＮＤ回路５０の出力は制御部１０へ出力されている。
【００３１】
また、コンデンサ４１の他端とグランドの間に抵抗４２が、コンデンサ４４の他端とグランドの間に抵抗４５が、それぞれ接続されている。一方、増幅器４３の出力とグランドとの間にコンデンサ４７が、増幅器４６の出力とグランドとの間にコンデンサ４８が、それぞれ接続されている。
【００３２】
次に誤検出防止部４０の動作を説明する。ＮＡＮＤ回路４９から出力される出力信号は過電流検出信号を論理的に禁止するものであり、ＮＡＮＤ回路４９の出力がローレベル（禁止）の時、過電流検出信号がハイレベル（過電流検出状態）であってもＡＮＤ回路５０から出力する運転停止信号をローレベル（運転継続）にする。つまり、過電流が検出された場合であっても、その原因がノイズ電流であれば室外機２０の運転を継続するようにしている。
【００３３】
ＮＡＮＤ回路４９の出力がローレベル（禁止）となる条件は、図１に示すように破線で示すノイズ電流Ｉｎが突入電流防止抵抗６２とシャント抵抗３３を同時に通過した場合である。なお、それぞれの抵抗にはノイズ電流の他にも室外機２０内の回路に流れる電流も含まれている。
ここでコンバータ３の第１入力電流Ｉｉは、コンバータ３の帰還電流とノイズ電流Ｉｎを含んでおり、待機時用電源部６の第２入力電流Ｉｒは降圧型電源回路７に供給する電流とノイズ電流Ｉｎを含んでいるものと定義する。
室外機２０ではまず最初に、第１入力電流Ｉｉを第１入力電流検出部１１で検出して第１入力電流信号に、また、第２入力電流Ｉｒを第２入力電流検出部１３で検出して第２入力電流信号にそれぞれ変換する。次にこれらの信号が入力された誤検出防止部４０は、図２に示すようにコンデンサ４１とコンデンサ４４を用いてそれぞれの入力電流信号（電圧信号）からノイズ電流信号のみを抽出している。ノイズ電流信号は入力電流信号に比較して高い周波数成分を含む信号であり、コンデンサ４１とコンデンサ４４の容量を選択することにより、ノイズ電流信号のみを抽出することができる。
【００３４】
抽出されたノイズ電流信号は抵抗４２や抵抗４５に流れ、各抵抗の両端に電圧信号として現れる。増幅器４３や増幅器４６はこの電圧信号を増幅し、増幅された各ノイズ電流の電圧信号はコンデンサ４７やコンデンサ４８によって平滑されて直流電圧信号がＮＡＮＤ回路４９へそれぞれ出力される。そして、ノイズ電流が突入電流防止抵抗６２とシャント抵抗３３に同時に流れた時、ＮＡＮＤ回路４９の２つの入力信号が共にハイレベル（ノイズ電流有り）となり、ＮＡＮＤ回路４９の出力はローレベル（禁止）となる。
【００３５】
図３は本発明による誤検出防止部４０の動作を説明する説明図である。
図３の横軸は時間である。図３の縦軸において、図３（１）はコンバータ３の第１入力電流Ｉｉを、図３（２）は待機時用電源部６の第２入力電流Ｉｒを、図３（３）は第１入力電流Ｉｉに含まれるノイズ電流Ｉｎの電圧信号（増幅器４３の入力端子の波形）を、図３（４）は第２入力電流Ｉｒに含まれるノイズ電流Ｉｎの電圧信号（増幅器４６の入力端子の波形）を、図３（５）はＮＡＮＤ回路４９から出力される禁止信号を、図３（６）は過電流検出信号を、図３（７）は運転停止信号をそれぞれ示している。なお、ｔ１〜ｔ６は時刻である。また、図３（１）の破線は過電流閾値を示している。この室外機２０は、ＩＧＢＴ３４やインバータ４の内部の図示しないスイッチング素子の最大定格電流を考慮して過電流閾値を２０アンペアとしており、制御部１０は入力電流が２０アンペア以上になった場合、機器の故障と判断して機器の運転を停止する。また、図３（５）においてローレベルが『禁止』を、ハイレベルが『許可』を、さらに、図３（６）においてハイレベルが過電流発生を、ローレベルが過電流未検出をそれぞれ示している。
【００３６】
図１に示すように入力端子１ａに流れる交流電流に落雷などによるノイズ電流Ｉｎが重畳されると、背景技術で説明したようにリアクタ３１に阻まれたノイズ電流Ｉｎは、待機時用電源部６の突入電流防止抵抗６２に流れ、図３（２）に示すような第２入力電流Ｉｒの波形になる。また、この時にシャント抵抗３３に流れる第１入力電流Ｉｉを図３（１）に示す。
【００３７】
図３（１）に流れる第１入力電流Ｉｉはコンバータ３が消費する電流に、ｔ１〜ｔ２で発生したノイズ電流Ｉｎが重畳された波形になっている。また、図３（２）に流れる第２入力電流Ｉｒは平滑コンデンサ６３を充電する電流に、ｔ１〜ｔ２で発生したノイズ電流Ｉｎが重畳された波形になっている。このため、２つの入力電流に含まれるノイズ電流Ｉｎは波形や遅延などが多少異なるが、これらはほぼ同時に現れる。
【００３８】
前述したようにノイズ電流Ｉｎは高周波成分を含んだ電流であるため、第１入力電流信号に含まれるノイズ電流Ｉｎの電圧信号は図２に示すコンデンサ４１を、また、第２入力電流信号のノイズ電流Ｉｎの電圧信号は図２に示すコンデンサ４４を、それぞれ通過して抵抗４２や抵抗４５を介してグランドに流れる。この時のノイズ電流Ｉｎの電圧信号を図３（３）と図３（４）に示す。
【００３９】
図２に示すように増幅器４３と増幅器４６はそれぞれのノイズ電流Ｉｎの電圧信号を増幅する。コンデンサ４７とコンデンサ４８は増幅された信号を平滑して直流電圧信号にする。そして、この高周波成分が除去された直流電圧信号はＮＡＮＤ回路４９へ入力される。一方、前述した経路で室外機２０に流れるノイズ電流Ｉｎは必ず突入電流防止抵抗６２とシャント抵抗３３に流れる。
【００４０】
このため、ＮＡＮＤ回路４９に入力される信号が共にｔ１〜ｔ２でハイレベルの時、つまり、落雷などによるノイズ電流であればＮＡＮＤ回路４９は論理積の結果が真となるため、図３（５）に示すようにｔ１〜ｔ２で出力する禁止信号をローレベル（禁止）にして出力する。このため、ＡＮＤ回路５０は、図３（６）に示すように入力される過電流検出信号がハイレベル（過電流検出）であっても図３（７）に示すように運転停止信号をローレベル（運転を継続）にして出力する。
つまり、第１入力電流と前記第２入力電流とにそれぞれ含まれるノイズ電流ＩｎがＮＡＮＤ回路４９によって同時に検出された時、制御部１０へ出力されるべき過電流検出信号（運転停止信号）は、ＮＡＮＤ回路４９の出力信号である禁止信号によりマスクされる。
【００４１】
同様にｔ３〜ｔ４でノイズ電流Ｉｎが発生した場合、図３（５）に示すようにＮＡＮＤ回路４９は出力する禁止信号をローレベル（禁止）にして出力する。過電流検出部１２は、図３（１）に示すようにｔ３〜ｔ４で発生したノイズ電流Ｉｎを含む第１入力電流Ｉｉが過電流閾値を超えていないため、過電流検出信号をローレベル（過電流を未検出）にして出力する。このため、誤検出防止部４０は運転停止信号をローレベル（運転継続）にして出力する。
【００４２】
一方、インバータ４やコンバータ３の部品が故障した場合、例えばｔ４以降に徐々に温度が上昇したＩＧＢＴ３４が熱によってｔ５の直前で破壊され、ＩＧＢＴ３４のコレクタ端子とエミッタ端子が短絡した状態になった場合、過電流検出部１２は第１入力電流Ｉｉが過電流閾値を超えたｔ５で過電流検出信号をハイレベル（過電流を検出）にして出力する。この場合、図３（３）に示すように、過電流となった急激な電流増加分の高周波成分が電圧信号に変換され、この信号が図２に示すコンデンサ４１を通過して増幅された後、ＮＡＮＤ回路４９に入力される。
【００４３】
この場合、ノイズ電流Ｉｎが発生していないため、図３（４）に示すようにｔ５では第２入力電流Ｉｒにノイズ電流Ｉｎが含まれていない。このため、図２に示す増幅器４６からローレベルの信号が出力され、この信号がＮＡＮＤ回路４９に入力される。従ってＮＡＮＤ回路４９は図３（５）に示すように禁止信号をハイレベル（禁止しない）で出力するため、誤検出防止部４０は入力された過電流信号をそのまま運転停止信号としてハイレベル（運転停止）の信号を出力する。このため、制御部１０はコンバータ３とインバータ４の運転をｔ６で停止する。この結果、図３のｔ６のタイミングで第１入力電流が流れなくなり、また、過電流検出信号と運転停止信号がハイレベルからローレベルになる。
【００４４】
以上説明したように、誤検出防止部４０は検出した過電流が入力された時、第１入力電流Ｉｉと第２入力電流Ｉｒに含まれるノイズ電流Ｉｎをほぼ同じタイミングで検出した場合、落雷などによって発生するノイズ電流が引き起こした過電流の誤検出と判断する。これにより、誤検出防止部４０はノイズ電流発生による過電流と、回路の故障発生による過電流とを区別する。そして、室外機２０は回路の故障発生時にのみ室外機２０の運転を停止させ、ノイズ電流による無用な運転停止を行なうことがない。このため、圧縮機を停止してから運転を再開するために冷媒回路内の圧力が均一になるまで３分間程度の待ち時間や運転再開操作が不要であり、ユーザーの快適性を維持することができる。
【符号の説明】
【００４５】
１ａ、１ｂ  入力端子
２  リレー
３  コンバータ
３ａ、３ｂ  入力端子
３ｃ、３ｄ  出力端子
４  インバータ
５  モータ（負荷）
６  待機時用電源部（電源部）
６ａ、６ｂ  入力端子
６ｃ  出力端子
７  降圧型電源回路
８、９  ダイオード
１０  制御部
１１  第１入力電流検出部
１２  過電流検出部
１３  第２入力電流検出部
１９  ＮＡＮＤ回路
２０  室外機（電子機器）
３１  リアクタ
３２  整流器
３３  シャント抵抗
３４  ＩＧＢＴ
３５  ダイオード
３６  平滑コンデンサ
４０  誤検出防止部（誤検出防止手段）
４１  コンデンサ
４２  抵抗
４３  増幅器
４４  コンデンサ
４５  抵抗
４６  増幅器
４７、４８  コンデンサ
４９  ＮＡＮＤ回路
５０  ＡＮＤ回路
６１  整流器
６２  突入電流防止抵抗
６３  平滑コンデンサ                                                          
【図１】
2019007709.tif 000003
【図２】
2019007709.tif 000004
【図３】
2019007709.tif 000005
【図４】
2019007709.tif 000006